(57)【要約】      （修正有）【課題】工事現場において腰バンドに工具を着脱自在に収納するための工具係止具であり、作業者による様々な体勢変化があっても、工具が脱落しない工具係止具を提供する。【解決手段】腰ベルトに着脱自在に装着される扁平筒状又は一部が開口された扁平筒状の係止部２と、係止部に固着された平板状の係止本体３より構成されている。係止本体には、本体表面の下部両縁近傍に立設された一対の略Ｕ字形の受け部４と、本体表面の上部近傍に立設された門型状の抜け防止部５と、本体表面の任意位置（例えば、前記一対の受け部の間、前記抜け防止部を形成する一対の脚の間など）に固着された磁石６が形成されている。【選択図】図１
0003198900.tif 000002
【実用新案登録請求の範囲】
【請求項１】
腰ベルトに着脱自在に装着される扁平筒状又は一部が開口された扁平筒状の係止部と、該係止部に固着された平板状の係止本体より構成されており、
該係止本体は、
本体表面の任意位置に固着された磁石と
本体表面の下部両縁近傍に立設された一対の略Ｕ字形の受け部と、
本体表面の上部近傍に立設された門型状の抜け防止部が、形成されていることを特徴とする工具係止具。
【請求項２】
前記抜け防止部は、前記係止本体と平行に設けられた横桟が開閉自在に構成されていることを特徴とする請求項１に記載の工具係止具。
【請求項３】
前記抜け防止部は、２本の脚部が、前記係止本体に設けられたピンに回動自在に取り付けられており、前記脚部は前記係止本体と直角になるようバネで付勢されていることを特徴とする請求項１に記載の工具係止具。
【考案の詳細な説明】
【技術分野】
【０００１】  本考案は、工事現場において腰バンドに工具を着脱自在に収納するための工具係止具であって、より詳しくは、作業者による様々な体勢変化があっても、工具が脱落しない工具係止具に関するものである。
【背景技術】
【０００２】  従来、腰バンドやベルトに係止する工具係止具には様々なものがある、例えば、ハンマー携帯具の出し入れ部にストッパーを付けてハンマーが外れて落下せず、且つ簡単に出し入れすることが出来、且つ携帯されたハンマーが大きく揺れないハンマー携帯具が開示されている（特許文献１参照。）。【０００３】  また、手で工具の立ち下がり部位（柄部、握り部など）を握ったら、その握りのままホルダーから外すことができるＴ字型部位を有する物品のホルダーが開示されている（特許文献２参照。）。
【先行技術文献】
【特許文献】
【０００４】
【特許文献１】特開２００９−２４８２９９号公報
【特許文献２】特開２０１３−２１５８７６号公報
【考案の概要】
【考案が解決しようとする課題】
【０００５】  特許文献１に記載のハンマー携帯具は、ハンマーを携帯具に入れるときは、ハンマー柄部を握りハンマーヘッドをハンマーヘッド押え部の端部を持ち上げて差し込み、ハンマー柄部を斜めか水平にした状態にして下げて溝底部にハンマーヘッドを載せ、ハンマー柄部を離し吊るして携帯するものであるが、装着に手間取るという問題がある。また、その状態でハンマーは突き上げ作用に対して外タテ部とＬ型回転ストッパーが作動するので外れ防止機構が働くが、作業者の体勢移動によりハンマーが携帯具内で揺動するため装着感が悪いという問題があった。【０００６】  特許文献２に記載の物品のホルダーは、ベルト装着手段に取り付けられて外側に突出するようにヘッド保持部の下方に位置された、Ｔ字型部位を有する物品の物品の立ち下がり柄を外側に出入り自在とする立ち下がり部位出入り開口、物品の立ち下がり部位の右側への振れを規制する右側振れ規制部、物品の立ち下がり部位の左側への振れを規制する左側振れ規制部とからなる立ち下がり部位振れ規制部とを備えてなる構成である。しかしながら、物品の振れ規制を強化した構造となっているため、物品の出し入れが窮屈であるという問題がある。
【課題を解決するための手段】
【０００７】  本考案は、これらの問題を解決するためになされたものであり、請求項１に係る工具係止具は、腰ベルトに着脱自在に装着される扁平筒状又は一部が開口された扁平筒状の係止部と、該係止部に固着された平板状の係止本体より構成されている。該係止本体には、本体表面の下部両縁近傍に立設された一対の略Ｕ字形の受け部と、本体表面の上部近傍に立設された門型状の抜け防止部と、本体表面の任意位置（例えば、前記一対の受け部の間、前記抜け防止部を形成する一対の脚の間など）に固着された磁石が形成されている。【０００８】  本考案の請求項２に係る工具係止具は、前記抜け防止部が前記係止本体と平行に設けられた横桟が開閉自在に構成されている。また、請求項３に係る工具係止具は、前記抜け防止部は、２本の脚部が、前記係止本体に設けられたピンに回動自在に取り付けられており、前記脚部は前記係止本体と直角になるようバネで付勢されている。【０００９】  なお、本考案の工具係止具は、腰ベルトに着脱自在に装着される扁平筒状又は一部が開口された扁平筒状の係止部と、該係止部に固着された平板状の係止本体より構成されているが、該係止本体を設けずに、直接、係止部の表面の下部両縁近傍に一対の略Ｕ字形の受け部と、上部近傍に門型状の抜け防止部を立設し、前記係止部の表面の任意位置（例えば、前記一対の受け部の間、前記抜け防止部を形成する一対の脚の間など）に磁石を形成した構成としてもよい。
【考案の効果】
【００１０】  本考案の工具係止具は、上記のように構成されているので、ハンマー、ラチェット、十字レンチ及びバール等、ヘッド部位と柄から構成される工具等を係止本体に磁着し、且つ、係止することができる。これにより、作業者に体勢変化があっても、前記工具類が揺動せず工具係止具から脱落することがないので、作業者は安心して作業を行なうことができる。
【図面の簡単な説明】
【００１１】
【図１】  本考案の第一実施形態を示す工具係止具の斜視図である。
【図２】  本考案の第一実施形態を示す工具係止具の正面図である。
【図３】  本考案の一実施形態を示す工具係止具の側面図である。
【図４】  本考案の他の実施形態を示す工具係止具の側面図である。
【図５】  本考案の第一実施形態を示す工具係止具の使用説明を示す側面図である。
【図６】  本考案の第二実施形態を示す工具係止具と、その使用説明上面図である。
【図７】  本考案の第二実施形態を示す工具係止具と、その使用説明側面図である。
【図８】  本考案の第三実施形態を示す工具係止具と、その使用説明側面図である。
【考案を実施するための形態】
【００１２】  以下、本考案の工具係止具について、図面を参照して詳細に説明する。図１は本考案の第一実施形態を示す工具係止具の斜視図であり、図２はその正面図、図３はその側面図、図４は他の実施形態を示す側面図である。図１から図４において、工具係止具１は、腰ベルトＢに着脱自在に装着される扁平筒状又は下部が開口された扁平筒状の係止部２、２ａと、該係止部２，２ａを固着した平板状の係止本体３より構成されている。
【００１３】  前記係止部２、２ａは、腰ベルトＢを挿入又は係止できる幅と厚さを有する腰ベルト通し穴２１が形成されており、その形状は扁平筒状（図１、図３）又は下部が開口２ｂされた扁平筒状（図４）である。前記扁平筒状の係止部２は事前に腰ベルトに挿入された状態で腰部に装着するが、下部が開口２ｂされた扁平筒状の係止部２ａは、腰ベルトＢを腰部に装着した後に、前記腰ベルトＢの上部縁側から挿入することが可能である。なお、本実施形態では係止部２，２ａの幅は、係止本体３の幅と同一としているが、係止本体３の幅と異なってもよく、２個以上に分割してもよい。
【００１４】  係止本体３は、四辺形状の平板であり前記係止部２，２ａを固着している。前記係止本体３の表面下部両縁近傍には、一対の略Ｕ字形の受け部４が立設されている。この受け部４は、ハンマー１０（金槌を含む）、ラチェット及びバール３０等（以下、ハンマー等という）の頭部３１や柄１２，３２を係止して係止本体３からの脱落を防止する機能を有している。
【００１５】  前記係止本体３の表面上部近傍には、門型状の抜け防止部５が立設されている。該抜け防止部５の横桟５２と、前記一対の略Ｕ字形受け部４の先端間は、前記ハンマー等の頭部が通過可能な間隙Ｃが設けられている。この抜け防止部５は、作業者の体勢移動により前記係止本体３が傾斜したとき、前記ハンマー等が前記係止本体３から抜け落ちるのを防止する機能を有しており、前記ハンマー等の頭部が前記抜け落ち防止部５に当接して、係止本体３からの脱落を防止する。
【００１６】  前記係止本体３の表面下部両縁近傍に設けられた一対の略Ｕ字形の受け部４間には、磁石６が固着されている。また、必要に応じて前記門型状の抜け防止部５の一対の脚間に磁石６を固着してもよい。前記ハンマー等の鉄製部分は前記磁石６に磁着するので、作業者による体勢移動があっても、前記係止本体３からの位置ずれが生じ難いので脱落することがない。なお、前記磁石６は、前記ハンマー等が脱落や位置ずれが生じ難い程度の磁力を有したものを用いる。
【００１７】  図５において、ハンマー１０を工具係止具１に脱着する手順を説明する。前記ハンマー１０を前記工具係止具１に係止する場合は、前記ハンマー１０の柄１２を手で把持し、係止本体３に立設された一対の略Ｕ字形受け部４の先端と、門型状の抜け防止部５の横桟５２間の間隙Ｃを、図５のアからイに示す方向に前記ハンマー１０の金槌部１１を移動させると、前記金槌部１１は、磁石６に引き寄せられて磁着する。また、前記金槌部１１は前記略Ｕ字形受け部４に係止された状態で保持されるので、前記ハンマー１０の脱落や位置ずれが防止される。一方、前記ハンマー１０を前記工具係止具１から取り外す場合は、前記ハンマー１０の柄１２を手で把持し、図５のイからアに示す方向に前記ハンマー１０の金槌部１１を移動させると、前記金槌部１１は磁石６から引き離されて、係止本体３に立設された一対の略Ｕ字形受け部４の先端部と、門型状の抜け防止部５の横桟５２間の間隙Ｃから引き出すことができる。
【００１８】  図６は本考案の第二実施形態を示す工具係止具１ａの使用説明を示す上面図、図７は側面図である。図６及び図７において、門型状の抜け防止部５は係止本体３の表面から立設された一対の脚５１の先端部分に横桟５２が形成されている。該横桟５２には開閉アーム５３が取り付けされており、該開閉アーム５３の基端は、一方の脚の先端部に回動可能にピン５４で固定されており、常時閉となるようにバネ（図示しない）で付勢されている。開閉アーム５３の先端は、他方の先端部分に着脱自在に係着されている。
【００１９】  次に、バール３０を工具係止具１ａに脱着する手順を説明する。バール３０は図５で示した手順でも着脱が可能であるが、図６及び図７を参照して別手順を説明する。前記バール３０を前記工具係止具１ａに係止する場合は、アに示すように、前記バール３０の柄３２を手で把持し、前記開閉アーム５３に前記バール３０の柄３２を押し付けると、前記開閉アーム５３が係止本体３側に押されて開状態となって前記開閉アーム５３を通過してイに示すように、前記バール３０の柄３２が磁石６に引き寄せられて磁着する。また、前記バール３０の頭部３１は抜け防止部５に係止された状態で保持されるので、前記バール３０の脱落や位置ずれが防止される。一方、前記バール３０を前記工具係止具１ａから取り外す場合は、前記バール３０の頭部３１を手で把持し、図７に示すイからウに示す方向に前記バール３０を引き出すと、前記バール３０は磁石６から引き離されて、係止本体３から引き出すことができる。
【００２０】  図８は本考案の第三実施形態を示す工具係止具１ｂの使用説明を示す側面図である。図８において、門型状の抜け防止部５ｂは係止本体３の表面から立設された一対の脚５１の基端がピン５５で回動自在に軸支されており、係止本体３に対して直角に立設するようにバネ（図示しない）で付勢されている。この抜け防止部５ｂは、矢印で示すように、約４５°まで回動するように形成されている。なお、回動角度は適宜設計変更することができる。
【００２１】  図８を参照して、ハンマー１０の別手順の取り外し方法を説明する。前記ハンマー１０を前記工具係止具１ｂから取り外す場合は、アの位置で前記ハンマー１０の柄１２を手で把持し、イのように磁石６からハンマー１０の金槌部１１を離し、ウに示すようにハンマー１０の金槌部１１で前記抜け防止部５ｂを押し上げて、係止本体３に立設された一対の略Ｕ字形受け部４の先端部と、門型状の抜け防止部５の横桟５２間の間隙Ｃを広げてハンマー１０を取り出し易くしてから、エに示す方向に引き出すと極めて容易に工具係止具１ｂからハンマーを取り出すことができる。
【産業上の利用可能性】
【００２２】  本考案の工具係止具は、工具を受け部及び抜け防止部による係止に加えて、磁石で磁着しているので、強磁石体で作製された様々な工具に広く適用が可能である。
【符号の説明】
【００２３】  １，１ａ、１ｂ  工具係止具
２、２ａ  係止部
２ｂ  開口
２１  腰ベルト通し穴
３  係止本体
４  受け部
５，５ａ，５ｂ  抜け防止部
５１  脚
５２  横桟
５３  開閉アーム
５４  ピン
５５  ピン
６  磁石
１０  ハンマー
１１  金槌部
１２  柄
３０  バール
３１  頭部
３２  柄
Ｂ  腰ベルト
Ｃ  間隙
【図１】
0003198900.tif 000003
【図２】
0003198900.tif 000004
【図３】
0003198900.tif 000005
【図４】
0003198900.tif 000006
【図５】
0003198900.tif 000007
【図６】
0003198900.tif 000008
【図７】
0003198900.tif 000009
【図８】
0003198900.tif 000010